(57)【要約】【課題】警報出力や自動試験の結果に係る情報を容易に識別できるように出力する防災受信機を提供すること。【解決手段】防災受信機１は、伝送路２を介して防災端末７０と接続されている防災受信機１であって、前記防災端末７０及び前記防災受信機１の情報を印字用紙４１に印字する印字部４０と、前記情報をＩＣタグ５１に記録するＩＣタグライタ５０と、を備え、前記情報を印字した前記印字用紙４１と、前記情報を記録した前記ＩＣタグ５１とを、相互に対応可能とした。【選択図】図１
2008217415.tif 000002
【特許請求の範囲】
【請求項１】
伝送路を介して防災端末と接続されている防災受信機であって、
前記防災端末又は前記防災受信機の情報を印字用紙に印字する印字手段と、
前記情報をＩＣタグに記録するＩＣタグ記録手段と、を備え、
前記情報を印字した前記印字用紙と、前記情報を記録した前記ＩＣタグとを、相互に対応可能としたこと、
を特徴とする防災受信機。
【請求項２】
前記ＩＣタグに印字するＩＣタグ印字手段を備え、
前記印字手段は、前記印字用紙と前記ＩＣタグとを相互に対応付けるための固有番号を前記印字用紙に印字し、
前記ＩＣタグ印字手段は、前記固有番号を前記ＩＣタグに印字すること、
を特徴とする請求項１に記載の防災受信機。
【請求項３】
前記ＩＣタグは、前記印字用紙に所定の間隔で貼付されており、
前記印字手段は、当該貼付されている各ＩＣタグ間に印字をすること、
を特徴とする請求項１に記載の防災受信機。
【請求項４】
前記印字手段は、前記情報のうちの概要情報を前記印字用紙に印字し、
前記ＩＣタグ記録手段は、前記情報のうちの詳細情報を前記ＩＣタグに記録すること、
を特徴とする請求項１から３のいずれか１項に記載の防災受信機。
【請求項５】
前記印字手段は、前記情報のうちの基本情報を前記印字用紙に印字し、
前記ＩＣタグ記録手段は、前記情報のうちの処理対象のデータを前記ＩＣタグに記録すること、
を特徴とする請求項１から４のいずれか１項に記載の防災受信機。
【発明の詳細な説明】
【技術分野】
【０００１】
本発明は、伝送路を介して防災端末と接続されている防災受信機に関し、特に防災端末や防災受信機の点検情報や設定情報を出力する防災受信機に関する。
【背景技術】
【０００２】
従来、オフィスビルや工場等の建物において、火災発生やガス漏れの有無を検出して警報を発する防災システムが広く利用されている。このような防災システムは、火災感知器やガス漏れ検知器等のいわゆる防災端末と、この防災端末から出力される信号を受信して火災発生の警報出力等を行う防災受信機とを、伝送路を介して接続することにより構成されている。
【０００３】
上述のように、防災受信機は防災端末から出力された信号を受信して所定の処理を行う機能を有しているが、更に、伝送路を介して接続されている防災端末の機能の点検や、防災受信機自体の機能の点検を行うための自動試験機能を備えているものもある。また、このような防災受信機のなかには、印字部を備え、警報出力に関する情報や自動試験の結果等を印字用紙に印字出力できるものもある（例えば、特許文献１）。
【０００４】
具体的には、防災受信機から各防災端末に試験信号を送信し、各防災端末の機能の試験を行う。試験の結果は各防災端末から防災受信機に送信され、防災受信機は受信した信号を処理し、試験の結果を印字用紙に印字出力する。
【０００５】
【特許文献１】特開平１０−１７９７９０
【発明の開示】
【発明が解決しようとする課題】
【０００６】
しかしながら、上述したように印字部にて試験結果等の情報を印字出力する場合、次のような問題があった。すなわち、印字用紙に多量の情報を印字すると、異なる種類の防災端末における試験結果や試験実施時刻等の多様な情報が混在し、重要な情報を即座に認識することが困難であった。このため、例えば、防災端末に何らかの異常が生じており、点検をすることが必要であるにも関わらず、この異常を見落とす可能性があった。また、印字用紙に印字した情報を作業者が目視で読み取る必要があるため、読み取り間違いが生じる可能性があった。さらに、印字用紙に多量の情報を印字しようとすると、必要な印字用紙が長くなり、その可搬性や保管性に問題が生じていた。
【０００７】
本発明は、上記に鑑みてなされたものであって、警報出力や自動試験の結果に係る情報を容易に識別できるように出力する防災受信機を提供することを目的とする。
【課題を解決するための手段】
【０００８】
上述した課題を解決し、目的を達成するために、請求項１に記載の防災受信機は、伝送路を介して防災端末と接続されている防災受信機であって、前記防災端末又は前記防災受信機の情報を印字用紙に印字する印字手段と、前記情報をＩＣタグに記録するＩＣタグ記録手段と、を備え、前記情報を印字した前記印字用紙と、前記情報を記録した前記ＩＣタグとを、相互に対応可能としたこと、を特徴とする。
【０００９】
また、請求項２に記載の防災受信機は、請求項１に記載の防災受信機において、前記ＩＣタグに印字するＩＣタグ印字手段を備え、前記印字手段は、前記印字用紙と前記ＩＣタグとを相互に対応付けるための固有番号を前記印字用紙に印字し、前記ＩＣタグ印字手段は、前記固有番号を前記ＩＣタグに印字すること、を特徴とする。
【００１０】
また、請求項３に記載の防災受信機は、請求項１に記載の防災受信機において、前記ＩＣタグは、前記印字用紙に所定の間隔で貼付されており、前記印字手段は、当該貼付されている各ＩＣタグ間に印字をすること、を特徴とする。
【００１１】
また、請求項４に記載の防災受信機は、請求項１から３のいずれか一項に記載の防災受信機において、前記印字手段は、前記情報のうちの概要情報を前記印字用紙に印字し、前記ＩＣタグ記録手段は、前記情報のうちの詳細情報を前記ＩＣタグに記録すること、を特徴とする。
【００１２】
また、請求項５に記載の防災受信機は、請求項１から４のいずれか一項に記載の防災受信機において、前記印字手段は、前記情報のうちの基本情報を前記印字用紙に印字し、前記ＩＣタグ記録手段は、前記情報のうちの処理対象のデータを前記ＩＣタグに記録すること、を特徴とする。
【発明の効果】
【００１３】
この発明によれば、防災受信機は印字手段に加えてＩＣタグ記録手段を備えているので、警報の出力に関する情報や自動試験に関する情報をＩＣタグにも記録することができる。また、印字用紙とＩＣタグとを相互に対応可能としているので、単に同じ情報を印字用紙及びＩＣタグに記録するだけでなく、相互に関連付けられた異なる情報を、印字用紙とＩＣタグとに記録することができる。
【００１４】
また、この発明によれば、印字用紙とＩＣタグとを対応付けるための固有番号を印字用紙及びＩＣタグに印字することにより、相互に対応付けられている印字用紙及びＩＣタグを容易に識別することができる。
【００１５】
また、この発明によれば、印字用紙にＩＣタグを予め貼付しているので、情報を印字した印字用紙と対応するＩＣタグとが、一体のまま排出される。これにより、相互に対応付けられている印字された情報及びＩＣタグを容易に識別することができると共に、ＩＣタグの紛失を防止することもできる。
【００１６】
また、この発明によれば、警報の発報に係る情報や自動試験の結果に係る情報についての概要情報を印字用紙に印字し、詳細情報をＩＣタグに記録しているので、排出された印字用紙を確認することで即座に重要な情報を読み取り、後でＩＣタグに記録されている詳細情報を確認することもできる。また、印字用紙に印字する情報量を大幅に削減できるので、必要な印字用紙を削減し、可搬性や保管性を向上させることができる。
【００１７】
また、この発明によれば、警報の発報に係る情報や自動試験の結果に係る情報についての基本情報を印字用紙に印字し、処理対象のデータをＩＣタグに記録しているので、基本情報が印字されている印字用紙を確認することで、発報の事実や点検の必要性を容易に認識することができる。また、ＩＣタグに記録されている処理対象のデータを読み取った後、当該データに対する処理として防災端末の位置情報の視覚化やアナログ出力値に対する演算などの複雑な処理を即座に行うことができる。従って、発報した防災端末の位置を地図上に重畳表示させて発報場所の把握や避難経路のガイドを迅速に行うことや、点検を要する防災端末の位置を地図上に重畳表示させて点検時の作業効率を向上させることが可能となる。
【発明を実施するための最良の形態】
【００１８】
以下に添付図面を参照して、この発明に係る防災受信機の各実施の形態を詳細に説明する。まず、〔Ｉ〕各実施の形態に共通の基本的概念を説明した後、〔II〕各実施の形態の具体的内容について説明し、〔III〕最後に、各実施の形態に対する変形例について説明する。ただし、各実施の形態によって本発明が限定されるものではない。
【００１９】
〔Ｉ〕各実施の形態に共通の基本的概念
まず、各実施の形態に共通の基本的概念について説明する。各実施の形態に係る防災受信機は、防災端末から出力された信号に応じて警報出力等の処理を行うためのものである。また、各防災端末の機能点検のために自動試験を実施する機能も有している。
【００２０】
各実施の形態に係る防災受信機の設置対象は任意であり、例えば工場施設やビル等の大規模な建物内や、マンション等の一般住宅に設置することができる。
【００２１】
各実施の形態に係る防災受信機の特徴の一つは、概略的に、印字部に加えてＩＣタグライタを備えた点にある。ＩＣタグライタを備えた本発明に係る防災受信機は、異常が発生した防災端末の情報や、防災システム全体の試験結果など、重要な情報のみを印字用紙に印字出力し、防災端末の出力履歴や各防災端末の試験結果等の詳細な情報はＩＣタグに記録する。従って、排出された印字用紙を確認することで、容易に重要な情報を識別することができる。また、ＩＣタグリーダを用いてＩＣタグに記録された情報を読み取ることにより、ＩＣタグに記録されている詳細な情報を確認することもできる。さらに、従来は印字用紙に印字することのできなかった多量の情報も、ＩＣタグに記録することができる。
【００２２】
〔II〕各実施の形態の具体的内容
次に、本発明に係る各実施の形態の具体的内容について説明する。
【００２３】
〔実施の形態１〕
まず実施の形態１について説明する。この形態は、概要情報を印字用紙に印字し、詳細情報をＩＣタグに記録する基本的な形態である。
【００２４】
（防災受信機の構成）
まず、防災受信機の構成を説明する。図１は、実施の形態１に係る防災受信機の電気的構成を概念的に示すブロック図である。図１に示すように、防災受信機１には伝送路２を介して防災端末７０が接続されている。防災受信機１と防災端末７０との間では、警報の発報や自動試験に関する信号の入出力が行われる。なお、防災端末７０としては、例えば、煙感知器を含む火災感知器７０ａ、ガス検知器７０ｂ、ベル７０ｃ、防火扉の開閉を行うためのレリーズ７０ｄ、スプリンクラー７０ｅなどが用いられている。
【００２５】
防災受信機１は、制御部１０、伝送制御部２０、記憶部３０、印字部４０、ＩＣタグライタ５０、ＩＣタグ印字部６０を有している。これらの構成要素について以下に説明する。
【００２６】
（防災受信機の構成−制御部１０）
制御部１０は、防災受信機１における各種の処理を実施するためのものであり、機能概念的には、図１に示すように、出力制御部１１、発報制御部１２、点検制御部１３を備えている。出力制御部１１は、警報出力に関する情報や試験結果等を防災受信機１が出力する際に、後述するＩＣタグライタ５０、ＩＣタグ印字部６０、及び、印字部４０を制御するためのものである。発報制御部１２は、防災端末７０から出力された信号に基づき、警報出力の要否判断やベル７０ｃへの警報出力指示等の発報処理を行う。点検制御部１３は、防災受信機１、及び、防災受信機１に接続されている防災端末７０に対する自動試験を実施するためのものであり、各防災端末７０への点検信号の出力や、各防災端末７０から出力された応答信号に基づいた正常／異常判定の処理を行う。
【００２７】
この制御部１０の具体的構成は任意であるが、例えば、ＯＳ（Ｏｐｅｒａｔｉｎｇ Ｓｙｓｔｅｍ）などの制御プログラム、各種の処理手順などを規定したプログラム、所要データを格納するための内部メモリ、及び、これらのプログラムを実行するＣＰＵ（Ｃｅｎｔｒａｌ Ｐｒｏｃｅｓｓｉｎｇ Ｕｎｉｔ）を備えて構成される。
【００２８】
（防災受信機の構成−伝送制御部２０）
伝送制御部２０は、防災受信機１と各防災端末７０との間の伝送制御を行うためのものである。
【００２９】
（防災受信機の構成−記憶部３０）
記憶部３０は、防災受信機１にて処理される各種の情報を記憶するための部分である。具体的には、情報データベース３１及び項目設定テーブル３２を有する。情報データベース３１は、防災端末７０から出力されるアナログ出力履歴や、防災受信機１が実施した処理の履歴、あるいは、防災受信機１が実施した自動試験における各防災端末７０の試験結果等を格納している。項目設定テーブル３２は、印字用紙及びＩＣタグに記録される情報の項目を格納するためのものであり、情報出力時に出力制御部１１によって参照される。項目設定テーブル３２の内容については後述する。
【００３０】
（防災受信機の構成−印字部４０）
印字部４０は、出力制御部１１による制御に応じて、警報出力に関する情報や試験結果等を印字用紙に印字するためのものであり、特許請求の範囲における印字手段に対応している。なお、印字用紙を印字部４０に供給する方法は任意であり、印字部４０に隣接するように印字用紙を収納し、防災受信機１の内部にて印字用紙を供給するようにしてもよく、あるいは、印字の際に防災受信機１の外部から印字用紙を供給するようにしてもよい。
【００３１】
（防災受信機の構成−ＩＣタグライタ５０）
ＩＣタグライタ５０は、出力制御部１１による制御に応じて、警報出力に関する情報や試験結果等をＩＣタグに記録するためのものであり、特許請求の範囲におけるＩＣタグ記録手段に対応している。ＩＣタグライタ５０は、電磁波等を利用して情報をＩＣタグに送信し、情報の記録を行う。なお、情報の記録に用いられるＩＣタグの構成は任意であるが、非接触で情報の読み取り及び書き込みを行えることが望ましい。この様なＩＣタグとしては、例えば、ＲＦＩＤ（Ｒａｄｉｏ  Ｆｒｅｑｕｅｎｃｙ  Ｉｄｅｎｔｉｆｉｃａｔｉｏｎ）等のＩＣタグを用いることができる。また、ＩＣタグをＩＣタグライタ５０に供給する方法は任意であり、例えば、防災受信機１にＩＣタグを収容する図示しないＩＣタグストッカを設け、ＩＣタグに記録を行うときには、ＩＣタグストッカからＩＣタグを取り出し、ＩＣタグライタ５０に供給するようにしてもよい。また、ＩＣタグに記録を行うときに、防災受信機１の外部からＩＣタグを供給するようにしてもよい。
【００３２】
（防災受信機の構成−ＩＣタグ印字部６０）
ＩＣタグ印字部６０は、出力制御部１１による制御に応じて、印字用紙とＩＣタグとを相互に対応付けるための固有番号をＩＣタグに印字するためのものであり、特許請求の範囲におけるＩＣタグ印字手段に対応している。ＩＣタグ印字部６０の構成は任意であるが、例えば、ＩＣタグ印字部６０として感熱式プリンタを使用し、予め感熱ラベルを貼付したＩＣタグに固有番号を印字させることができる。
【００３３】
（防災受信機による情報出力）
次に、防災受信機１による情報の出力について説明する。図２は印字用紙及びＩＣタグの出力例を示す図、図３は項目設定テーブルの内容を示す図、図４は概要情報及び詳細情報の項目の複数の組合せが保存された項目設定テーブルを示す図、図５は警報の発報に係る概要情報が印字された印字用紙を示す図、図６は自動試験の結果に係る概要情報が印字された印字用紙を示す図、図７は警報の発報に係る詳細情報を示す図、図８は自動試験の結果に係る詳細情報を示す図である。
【００３４】
（防災受信機による情報出力−印字用紙とＩＣタグの対応付け）
警報の発報時や自動試験の実施時に防災受信機１が情報を出力する際には、必要な情報を記録した印字用紙とＩＣタグとを、相互に対応可能とする。具体的には、図２に示すように、印字用紙４１とＩＣタグ５１とを相互に対応付けるための固有番号８０を、対応する印字用紙４１とＩＣタグ５１とに印字する。固有番号８０を印字用紙４１に印字する際には印字手段が用いられ、ＩＣタグ５１に印字する際にはＩＣタグ印字手段が用いられる。また、印字される固有番号８０は出力制御部１１によって決定される。なお、固有番号８０の内容は任意であり、例えば、連続する通し番号や、印字用紙４１及びＩＣタグ５１の出力時刻を用いることができる。
【００３５】
（防災受信機による情報出力−概要情報及び詳細情報）
防災受信機１が情報出力を行う際には、概要情報が印字用紙４１に印字され、詳細情報がＩＣタグ５１に記録される。概要情報及び詳細情報の内容は、情報の種類（例えば、警報の発報に関するものか、自動試験の結果に関するものか等）に応じて出力制御部１１により決定される。決定した概要情報の内容は出力制御部１１から印字部４０に入力され、詳細情報の内容は出力制御部１１からＩＣタグライタ５０に入力される。
【００３６】
概要情報及び詳細情報の内容を決定する際には、出力制御部１１は図３に示すような項目設定テーブル３２を参照する。項目設定テーブル３２には、警報発報時、及び、自動試験実施時のそれぞれについて、概要情報及び詳細情報の内容とすべき項目が格納されている。ユーザが項目設定テーブル３２の内容を変更することによって、概要情報及び詳細情報に含まれる内容を容易に変更することも可能である。
【００３７】
また、図４に示すように、概要情報及び詳細情報の項目の組合せを予め複数通り定めたものを項目設定テーブル３２として保存しておき、印字用紙４１で最初に認識したい情報の種類や量に応じてユーザが自由に組合せを選択できるようにしてもよい。
【００３８】
（防災受信機による情報出力−概要情報の具体例）
印字用紙４１に印字される概要情報の具体的内容は任意であり、例えば、図５に示すように、警報を発報した防災端末７０のアドレス、及び、発報時刻を概要情報として印字させてもよい。また、防災端末７０のアドレスのみではなく、当該防災端末７０の名称を併記するようにしてもよい。
【００３９】
あるいは、図６に示すように、防災受信機１が自動試験を実施した際に、実施した試験の名称、試験開始日時、及び、全体の試験結果を概要情報として印字させてもよい。全体の試験結果としては、図６に示したように、防災端末７０及び防災受信機１における異常件数を印字させてもよく、単に異常の有無のみを印字させても良い。
【００４０】
（防災受信機による情報出力−詳細情報の具体例）
ＩＣタグ５１に記録する詳細情報の具体的内容は任意であり、例えば、図７に示すように、警報を発報した防災端末７０のアナログ出力履歴を詳細情報として記録させてもよい。ここに示した例では、警報を発報した端末に関して、防災端末７０の識別情報としてのアドレス（１−００１−０３）、発報の１分前からの１０秒毎のアナログ出力値、及び当該アナログ出力値の出力時刻を記録している。さらに、発報に対応した防災受信機１の連動制御動作（スプリンクラー７０ｅ作動、防火扉閉）を記録させることもできる。
【００４１】
あるいは、図８に示すように、防災受信機１が自動試験を実施した際に、防災受信機１及び各防災端末７０の試験結果を詳細情報として記録させても良い。ここに示した例では、実施した試験の名称、試験対象の防災端末７０のアドレス、当該防災端末７０の試験結果、異常判定時の異常内容、及び、試験実施時刻を、試験を実施した防災端末７０毎に記録している。さらに、防災受信機１自体の試験を実施した場合には、試験対象とした防災受信機１の構成品の名称を、防災端末７０のアドレスに代えて記録させてもよい。
【００４２】
（防災受信機による情報出力処理）
次に、上述したような構成を有する防災受信機１において実施される情報出力処理の流れを、具体例を挙げて説明する。図９は警報の発報時に防災受信機１が行う処理を示すフローチャート、図１０は自動試験時に防災受信機１が行う処理を示すフローチャートである。まず、（１）図９に示すフローチャートに従い、防災受信機１が警報の発報に係る情報を出力する場合の制御動作の流れを説明し、次に、（２）図１０に示すフローチャートに従い、防災受信機１が自動試験の結果に係る情報を出力する場合の制御動作の流れを説明する。なお、（１）又は（２）で説明する制御動作の前提として、警報の発報に係る情報や自動試験の結果等を情報データベース３１に格納する処理、あるいは、警報発報に関連して防災受信機１が実施するスプリンクラー作動や防火扉閉等の処理が存在するが、これらは公知の処理であるので説明は省略する。
【００４３】
（１）防災受信機１が警報の発報に係る情報を出力する場合
図９に示すように、発報制御部１２において、いずれかの防災端末７０から発報信号が出力されたか否かを判定する（ステップＳＡ−１）。
【００４４】
防災端末７０から発報信号が出力された場合（ステップＳＡ−１、Ｙｅｓ）、発報制御部１２は発報があったことを示す信号を出力制御部１１に出力し、当該出力制御部１１は、排出するＩＣタグ５１と印字用紙４１とを対応付けるための固有番号８０を決定する（ステップＳＡ−２）。
【００４５】
次に、出力制御部１１は項目設定テーブル３２にアクセスし、警報の発報に関する概要情報及び詳細情報の項目を参照する（ステップＳＡ−３）。
【００４６】
出力制御部１１は、ステップＳＡ−３の参照結果に基づいて情報データベース３１から概要情報（発報端末アドレス、発報時刻等）を読み取り、当該概要情報及び固有番号８０を印字部４０に入力する（ステップＳＡ−４）。印字部４０は、入力された概要情報及び固有番号８０を印字用紙４１に印字して排出する（ステップＳＡ−５）。
【００４７】
続いて、出力制御部１１は、ステップＳＡ−３の参照結果に基づいて発報の所定時間前から発報時までの防災端末７０のアナログ出力履歴を情報データベース３１から読み出す（ステップＳＡ−６）。
【００４８】
また、出力制御部１１は、防災受信機１が発報に関連してスプリンクラー７０ｅ作動や防火扉閉等の処理を実施したか否かを判定する（ステップＳＡ−７）。
【００４９】
特に発報に関連した処理が実施されていない場合は（ステップＳＡ−７、Ｎｏ）、出力制御部１１は情報データベース３１から読み出した防災端末７０のアナログ出力履歴を詳細情報としてＩＣタグライタ５０に入力する（ステップＳＡ−８）。発報に関連した処理が実施されていた場合は（ステップＳＡ−７、Ｙｅｓ）、出力制御部１１は、防災端末７０のアナログ出力履歴及び当該発報に関連した処理の情報を詳細情報としてＩＣタグライタ５０に入力する（ステップＳＡ−９）。
【００５０】
詳細情報を入力されたＩＣタグライタ５０は、ＩＣタグ５１に詳細情報を記録する（ステップＳＡ−１０）。
【００５１】
出力制御部１１は、ステップＳＡ−２にて決定した固有番号８０をＩＣタグ印字部６０に入力し（ステップＳＡ−１１）、ＩＣタグ印字部６０は、詳細情報を記録したＩＣタグ５１に対して当該固有番号８０を印字し、ＩＣタグ５１を排出する（ステップＳＡ−１２）。
【００５２】
（２）防災受信機１が自動試験の結果に係る情報を出力する場合
図１０に示すように、点検制御部１３において、自動試験が実施される（ステップＳＢ−１）。
【００５３】
自動試験が終了すると、点検制御部１３は試験終了を示す信号を出力制御部１１に出力し、当該出力制御部１１は、排出するＩＣタグ５１と印字用紙４１とを対応付けるための固有番号８０を決定する（ステップＳＢ−２）。
【００５４】
次に、出力制御部１１は項目設定テーブル３２にアクセスし、自動試験の結果に関する概要情報及び詳細情報の項目を参照する（ステップＳＢ−３）。
【００５５】
続いて、出力制御部１１は、ステップＳＢ−３の参照結果に基づいて情報データベース３１から概要情報（試験開始日時、全体の試験結果）を読み取り、当該概要情報及び固有番号８０を印字部４０に入力する（ステップＳＢ−４）。印字部４０は、入力された概要情報及び固有番号８０を印字用紙４１に印字して排出する（ステップＳＢ−５）。
【００５６】
次に、出力制御部１１は、ステップＳＢ−３の参照結果に基づいて各防災端末７０及び防災受信機１における自動試験の結果を情報データベース３１から読み出す（ステップＳＢ−６）。
【００５７】
そして、出力制御部１１は情報データベース３１から読み出した各防災端末７０及び防災受信機１における自動試験の結果を詳細情報としてＩＣタグライタ５０に入力する（ステップＳＢ−７）。
【００５８】
ＩＣタグライタ５０は、入力された詳細情報をＩＣタグ５１に記録する（ステップＳＢ−８）。
【００５９】
出力制御部１１は、ステップＳＢ−２にて決定した固有番号８０をＩＣタグ印字部６０に入力する（ステップＳＢ−９）。ＩＣタグ印字部６０は、詳細情報を記録したＩＣタグ５１に対して当該固有番号８０を印字し、ＩＣタグ５１を排出する（ステップＳＢ−１０）。
【００６０】
（実施の形態１の効果）
このように、本実施の形態によれば、防災受信機１は印字部４０に加えてＩＣタグライタ５０を備えているので、警報の出力に関する情報や自動試験に関する情報をＩＣタグ５１にも記録することができる。また、印字用紙４１とＩＣタグ５１とを相互に対応付けて出力させるので、単に同じ情報を印字用紙４１及びＩＣタグ５１に記録するだけでなく、相互に関連付けられた異なる情報を、印字用紙４１とＩＣタグ５１とに記録することができる。
【００６１】
また、印字用紙４１とＩＣタグ５１とを対応付けるための固有番号８０を印字用紙４１及びＩＣタグ５１に印字することにより、相互に対応付けられている印字用紙４１及びＩＣタグ５１を容易に識別することができる。
【００６２】
さらに、警報の発報に係る情報や自動試験の結果に係る情報についての概要情報を印字用紙４１に印字し、詳細情報をＩＣタグ５１に記録しているので、排出された印字用紙４１を確認することで即座に重要な情報を読み取り、後でＩＣタグ５１に記録されている詳細情報を確認することもできる。また、印字用紙４１に印字する情報量を大幅に削減できるので、必要な印字用紙４１を削減し、可搬性や保管性を向上させることができる。
【００６３】
〔実施の形態２〕
次に、実施の形態２について説明する。この形態は、基本情報を印字用紙に印字し、処理対象のデータをＩＣタグに記録する形態である。
【００６４】
なお、実施の形態２の構成は、特記する場合を除いて実施の形態１の構成と略同一であり、実施の形態１の構成と略同一の構成についてはこの実施の形態１で用いたのと同一の符号を必要に応じて付して、その説明を省略する。
【００６５】
（基本情報及び処理対象のデータ）
本実施の形態２に係る防災受信機１では、印字用紙４１には基本情報が印字され、ＩＣタグ５１には処理対象のデータが記録される。基本情報の内容は任意であるが、ＩＣタグ５１に記録されているデータの内容を示唆する情報を基本情報としてもよい。これにより、ユーザに処理対象のデータの処理を促すことができる。処理対象のデータは、ＩＣタグ５１から読み取られた後に、他の機器にて情報の処理に供されるためのデータである。処理対象のデータの内容も任意であるが、防災端末７０の設置位置を示す座標情報や複数防災端末７０のアナログ出力値等をＩＣタグ５１に記録させてもよい。これらのデータがＩＣタグ５１から読み取られた後、当該データに対して所定の処理が行われる。以下では、処理対象のデータとして防災端末７０の座標情報をＩＣタグ５１に記録させた例を挙げて説明する。
【００６６】
（ＩＣタグリーダの構成）
まず、ＩＣタグ５１に記録されている処理対象のデータを読み取るためのＩＣタグリーダの構成について説明する。図１１は、ＩＣタグリーダの電気的構成を概念的に示すブロック図である。図１１に示すように、ＩＣタグリーダ９０はアンテナ部９１、記憶部９２、データ処理部９３、表示部９４を備えている。アンテナ部９１は、ＩＣタグ５１との通信を行い、ＩＣタグ５１に記録されている処理対象のデータを読み取る。記憶部９２は、ＩＣタグ５１から読み取った処理対象のデータや、当該データの処理を行う際に必要となる参照データを格納するためのものである。なお、参照データの具体的内容は任意であり、防災端末７０を設置している建物の座標軸入り地図データや、防災端末７０のアナログ出力値を元に演算を行うためのプログラムを参照データとして格納することができる。データ処理部９３は、記憶部９２を参照し、格納されている処理対象のデータ及び参照データを用いて所定の処理を行い、表示用のデータを出力する。表示部９４は、データ処理部９３から出力された表示用のデータを表示する。
【００６７】
（防災受信機１による情報出力、ＩＣタグリーダ９０によるデータ処理）
次に、防災受信機１による情報の出力、及び、ＩＣタグリーダ９０によるデータ処理について説明する。まず、警報の発報時を例として説明する。図１２は防災端末７０の発報内容が印字されている印字用紙４１を示す図、図１３は発報した防災端末７０の座標情報を示す図、図１４は図１３に示した情報の処理結果を表示した図である。
【００６８】
図１２に示すように、印字用紙４１には、防災端末７０の発報内容、発報した防災端末７０のアドレス、発報日時等が基本情報として印字される。また、図１３に示すように、ＩＣタグ５１には発報した防災端末７０のアドレスと座標情報とが記録されている。ＩＣタグリーダ９０を用いてこの座標情報を読み取り、参照データとして格納されている座標軸入り地図データと共にデータ処理部９３にて処理を行わせることで、発報した防災端末７０の位置が図１４に示すように地図上に重畳表示される。
【００６９】
次に、自動試験を実施した場合について説明する。図１５は防災端末７０の点検が必要なことを示す情報が印字されている印字用紙４１を示す図、図１６は点検が必要な防災端末７０の座標情報を示す図、図１７は図１６に示した情報の処理結果を表示した図である。
【００７０】
図１５に示すように、印字用紙４１には、点検示唆のメッセージ、点検期限、点検を要する防災端末７０のアドレス等が基本情報として印字される。また、図１６に示すように、ＩＣタグ５１には点検を要する防災端末７０のアドレスと座標情報とが記録されている。ＩＣタグリーダ９０を用いてこれらの座標情報を読み取り、参照データとして格納されている座標軸入り地図データと共にデータ処理部９３にて処理を行うことで、図１７に示すように点検が必要な防災端末７０の位置が地図上に重畳表示される。さらに、防災端末７０のアドレスや種別を識別可能なように表示させ、当該防災端末７０の特定を容易にすることもできる。
【００７１】
（実施の形態２の効果）
このように、本実施の形態によれば、基本情報が印字されている印字用紙４１を確認することで、発報の事実や点検の必要性を容易に認識することができる。また、ＩＣタグ５１に記録されている処理対象のデータを読み取った後、当該データに対する処理として防災端末７０の位置情報の視覚化やアナログ出力値に対する演算などの複雑な処理を即座に行うことができる。従って、発報した防災端末７０の位置を地図上に重畳表示させて発報場所の把握や避難経路のガイドを迅速に行うことや、点検を要する防災端末７０の位置を地図上に重畳表示させて点検時の作業効率を向上させることが可能となる。さらに、ＩＣタグリーダ９０を持ち運び可能とすることで、ＩＣタグリーダ９０の表示を参照しながら発報した防災端末７０や点検を要する防災端末７０の設置場所に向かうことができ、作業効率を向上させることができる。また、防災端末７０の発報時や異常時の対処方法などのガイダンスをＩＣタグリーダ９０に表示させることで、さらに作業効率や作業の正確性を向上させることができる。
【００７２】
〔III〕各実施の形態に対する変形例
以上、本発明に係る各実施の形態について説明したが、本発明の具体的な構成及び手段は、特許請求の範囲に記載した各発明の技術的思想の範囲内において、任意に改変及び改良することができる。以下、このような変形例について説明する。
【００７３】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００７４】
（各実施の形態の相互の関係について）
上記説明した各実施の形態は、任意の組み合わせで相互に組み合わせることができる。例えば、実施の形態１における詳細情報と、実施の形態２における処理対象のデータとを、１つのＩＣタグ５１に記録させることもできる。
【００７５】
（印字用紙とＩＣタグとの対応付けについて）
上記説明した各実施の形態では、印字用紙４１とＩＣタグ５１との対応付けをするために、対応する印字用紙４１とＩＣタグ５１に固有番号８０を印字しているが、他の方法にて対応付けを行ってもよい。例えば、図１８に示すように、印字用紙４１にＩＣタグ５１を予め貼付しておいてもよい。この場合は、ロール上に巻回して防災受信機１に収納されている印字用紙４１の表面に、所定の間隔でＩＣタグ５１を貼付しておく。防災受信機１が情報を出力する際には、貼付されているＩＣタグ５１の間の領域に印字部４０にて印字するとともに、印字した領域に隣接しているＩＣタグ５１に、印字した情報と対応する情報をＩＣタグライタ５０にて記録する。情報の記録が完了した後、情報を印字した印字用紙４１と対応するＩＣタグ５１とが、一体のまま排出される。これにより、相互に対応付けられている印字された情報及びＩＣタグ５１を容易に識別することができる。
【００７６】
（印字用紙及びＩＣタグに記録する情報について）
実施の形態１では、概要情報を印字用紙４１に印字し、詳細情報をＩＣタグ５１に記録しているが、印字用紙４１には詳細情報の内容を示す示唆情報を印字してもよい。例えば、詳細情報の項目や範囲を印字用紙４１に印字してもよい。また、詳細情報における、防災端末７０又は防災受信機１に関する異常情報の有無を印字用紙４１に印字してもよい。印字されている示唆情報を参照することにより、ＩＣタグ５１に記録されている詳細情報の内容を容易に確認することができる。また、印字する字体を太字や赤字にしたり、フォントを大きくしたりすることで、示唆情報をより容易に識別することができる。
【産業上の利用可能性】
【００７７】
この発明に係る防災受信機は、伝送路を介して防災端末と接続されている防災受信機に適用でき、特に防災端末や防災受信機の点検情報や設定情報を容易に識別できるように出力する防災受信機に有用である。
【図面の簡単な説明】
【００７８】
【図１】本発明の実施の形態に係る防災受信機の電気的構成を概念的に示すブロック図である。
【図２】印字用紙及びＩＣタグの出力例を示す図である。
【図３】項目設定テーブルの内容を示す図である。
【図４】概要情報及び詳細情報の内容とすべき項目の複数の組合せが保存された項目設定テーブルを示す図である。
【図５】印字用紙に印字されている警報の発報に係る概要情報を示す図である。
【図６】印字用紙に印字されている自動試験の結果に係る概要情報を示す図である。
【図７】ＩＣタグに記録されている警報の発報に係る詳細情報を示す図である。
【図８】ＩＣタグに記録されている自動試験の結果に係る詳細情報を示す図である。
【図９】発報時に防災受信機１が行う処理を示すフローチャートである。
【図１０】自動点検時に防災受信機１が行う処理を示すフローチャートである。
【図１１】ＩＣタグリーダの電気的構成を概念的に示すブロック図である
【図１２】防災端末７０の発報内容が印字されている印字用紙４１を示す図である。
【図１３】発報した防災端末７０の座標情報を示す図である。
【図１４】図１３に示した情報の処理結果を表示した図である。
【図１５】防災端末７０の点検が必要なことを示す情報が印字されている印字用紙４１を示す図である。
【図１６】点検が必要な防災端末７０の座標情報を示す図である。
【図１７】図１７は図１６に示した情報の処理結果を表示した図である。
【図１８】印字用紙４１及び予め印字用紙４１に貼付されているＩＣタグ５１の出力例を示す図である。
【符号の説明】
【００７９】
１  防災受信機
２  伝送路
１０  制御部
１１  出力制御部
１２  発報制御部
１３  点検制御部
２０  伝送制御部
３０  記憶部
３１  情報データベース
３２  項目設定テーブル
４０  印字部
４１  印字用紙
５０  ＩＣタグライタ
５１  ＩＣタグ
６０  ＩＣタグ印字部
７０  防災端末
７０ａ  火災感知器
７０ｂ  ガス検知器
７０ｃ  ベル
７０ｄ  レリーズ
７０ｅ  スプリンクラー
８０  固有番号
９０  ＩＣタグリーダ
９１  アンテナ部
９２  記憶部
９３  データ処理部
９４  表示部
【図１】
2008217415.tif 000003
【図２】
2008217415.tif 000004
【図３】
2008217415.tif 000005
【図４】
2008217415.tif 000006
【図５】
2008217415.tif 000007
【図６】
2008217415.tif 000008
【図７】
2008217415.tif 000009
【図８】
2008217415.tif 000010
【図９】
2008217415.tif 000011
【図１０】
2008217415.tif 000012
【図１１】
2008217415.tif 000013
【図１２】
2008217415.tif 000014
【図１３】
2008217415.tif 000015
【図１４】
2008217415.tif 000016
【図１５】
2008217415.tif 000017
【図１６】
2008217415.tif 000018
【図１７】
2008217415.tif 000019
【図１８】
2008217415.tif 000020